(57)【要約】      （修正有）【課題】紙葉体のみからなりながら、装着体（商品陳列棚のこぼれ止めや被服）に対する十分なクリップ力が得られる挟着クリップ付き台紙を得る。【解決手段】商品表示部又は及び商品保持部となる台紙１０と、この台紙裏面に接着される挟着クリップ紙葉体２０からなり、挟着クリップ紙葉体２０は、台紙１０へ接着される接着帯部２１と、この接着帯部２１に連なり該接着帯部（台紙）とは離間したクリップ帯部と、このクリップ帯部の一側部から山折りされ、その自由端部が接着帯部とクリップ帯部の間を通って台紙裏面に接触するクリップ舌片とを有する挟着クリップ付き台紙。台紙がない状態を最終製品とすることもできる。【選択図】図２
2012223340.tif 000002
【特許請求の範囲】
【請求項１】
台紙と、この台紙裏面に接着される挟着クリップ紙葉体からなり、挟着クリップ紙葉体は、台紙へ接着される接着帯部と、この接着帯部に連なり該接着帯部とは離間したクリップ帯部と、このクリップ帯部の一側部から山折りされ、その自由端部が接着帯部とクリップ帯部の間を通って台紙裏面に接触するクリップ舌片とを有することを特徴とする挟着クリップ付き台紙。
【請求項２】
請求項１記載の挟着クリップ付き台紙において、クリップ帯部とクリップ舌片は複数枚が重ねられている挟着クリップ付き台紙。
【請求項３】
請求項１または２記載の挟着クリップ付き台紙において、挟着クリップ紙葉体は、展開状態で、上記接着帯部、この接着帯部の両端部に連設した一対の間隔保持帯部、及びこの一対の間隔保持帯部の両端部に連設した一対の上記クリップ帯部を有しており、この一対のクリップ帯部の一側部にそれぞれ一対の上記クリップ舌片が連設されている挟着クリップ付き台紙。
【請求項４】
請求項３記載の挟着クリップ付き台紙において、挟着クリップ紙葉体の上記接着帯部、一対の間隔保持帯部及び一対のクリップ帯部は、全体として矩形の枠体を形成するように折り曲げられて接着され、一対のクリップ舌片は、それぞれのクリップ帯部の上縁部から山折りされて重ね合わされ、接着帯部とクリップ帯部の間に通されその先端自由端部が台紙裏面に接触している挟着クリップ付き台紙。
【請求項５】
表面帯部と、この表面部に連なり該表面帯部とは離間したクリップ帯部と、このクリップ帯部の一側部から山折りされ、その自由端部が表面帯部とクリップ帯部の間を通って延びるクリップ舌片とを有することを特徴とする挟着クリップ紙葉体。
【請求項６】
請求項５記載の挟着クリップ紙葉体において、クリップ帯部とクリップ舌片は複数枚が重ねられている挟着クリップ紙葉体。
【請求項７】
請求項５または６記載の挟着クリップ紙葉体は、展開状態で、上記表面帯部、この表面帯部の両端部に連設した一対の間隔保持帯部、及びこの一対の間隔保持帯部の両端部に連設した一対の上記クリップ帯部を有しており、この一対のクリップ帯部の一側部にそれぞれ一対の上記クリップ舌片が連設されている挟着クリップ紙葉体。
【請求項８】
請求項７記載の挟着クリップ紙葉体において、上記表面帯部、一対の間隔保持帯部及び一対のクリップ帯部は、全体として矩形の枠体を形成するように折り曲げられて接着され、一対のクリップ舌片は、それぞれのクリップ帯部の上縁部から山折りされて重ね合わされ、表面帯部とクリップ帯部の間に通されている挟着クリップ紙葉体。
【発明の詳細な説明】
【技術分野】
【０００１】
本発明は、台紙と挟着クリップの全体を紙のような紙葉体から構成した挟着クリップ付き台紙及び挟着クリップ紙葉体に関する。
【背景技術】
【０００２】
クリップ付き台紙は一般に、前面を表示部（保持部）とした台紙の裏面に、該台紙との間でクリップ力を発揮する挟着クリップを設けている。このようなクリップ付き台紙は、例えば、商品陳列棚の前方のこぼれ止め（板材又は線材からなる商品ストッパ）に装着される商品表示デバイス、あるいは被服に装着する名札ホルダ等として用いられている。
【先行技術文献】
【特許文献】
【０００３】
【特許文献１】特開２００１-１０４１１９号公報
【特許文献２】特開２００３-１１１６５２号公報
【発明の概要】
【発明が解決しようとする課題】
【０００４】
このクリップ付き台紙は従来、台紙の裏面に揺動可能に支持した挟着クリップ体を、ばね材料を用いて台紙側に付勢しクリップ力を得るのが普通であった。あるいは、台紙の裏面に結合する板ばね体をＵ字状に曲折し、該Ｕ字状部の弾性力でクリップ力を得ている。
【０００５】
また従来のクリップ付き台紙は、台紙は紙等の紙葉体からなるのに対し、挟着クリップ体が金属材料や合成樹脂材料からなる（あるいは金属材料や合成樹脂材料を含む）ため、製造時には台紙と挟着クリップ体の結合作業が必要であるのみならず、廃棄時には、ごみの分別収集のため、台紙と挟着クリップ体（金属材料や合成樹脂材料）を分離する作業が必要であった。
【０００６】
本発明は、以上の問題意識に基づき、紙葉体のみからなりながら（つまり、金属材料を使用せずに）、装着体（上の例ではこぼれ止めや被服）に対する十分なクリップ力が得られる挟着クリップ付き台紙、あるいは台紙を必要としない挟着クリップ紙葉体を得ることを目的とする。
【課題を解決するための手段】
【０００７】
本発明者は、鋭角に折り曲げた紙葉体が平面に戻ろうとする（鋭角を鈍角にしようとする）復元力は非常に強く、この復元力をクリップ力として利用すれば、紙葉体だけでも装着体に対する十分なクリップ力が得られること、及びこの復元力を利用するのに好適な紙葉体の折り構造を見出して本発明に至ったものである。
【０００８】
本発明の挟着クリップ付き台紙は、商品表示部又は及び商品保持部となる台紙と、この台紙裏面に接着される挟着クリップ紙葉体からなり、挟着クリップ紙葉体は、台紙へ接着される接着帯部と、この接着帯部に連なり該接着帯部（台紙）とは離間したクリップ帯部と、このクリップ帯部の一側部から山折りされ、その自由端部が接着帯部とクリップ帯部の間を通って台紙裏面に接触するクリップ舌片とを有することを特徴としている。
【０００９】
クリップ帯部とクリップ舌片は、複数枚を重ねることでより強いクリップ力を得ることができる。
【００１０】
本発明の一つの好ましい態様では、挟着クリップ紙葉体は、展開状態で、上記接着帯部、この接着帯部の両端部に連設した一対の間隔保持帯部、及びこの一対の間隔保持帯部の両端部に連設した一対の上記クリップ帯部を有しており、この一対のクリップ帯部の一側部にそれぞれ一対の上記クリップ舌片が連設されている。
【００１１】
挟着クリップ紙葉体の接着帯部、一対の間隔保持帯部及び一対のクリップ帯部は、全体として矩形の枠体を形成するように折り曲げられて接着される。一対のクリップ舌片は、それぞれのクリップ帯部の上縁部から山折りされて重ね合わされ、接着帯部とクリップ帯部の間（矩形の枠体の間）に通されて、その先端自由端部が台紙裏面に接触する（厳密には一対のクリップ舌片の一方が台紙に接触し、他方はその上面に接触して補助クリップ力を与える）。
【００１２】
本発明は、挟着クリップ紙葉体の態様では、表面帯部と、この表面帯部に連なり該表面帯部とは離間したクリップ帯部と、このクリップ帯部の一側部から山折りされ、その自由端部が表面帯部とクリップ帯部の間を通って延びるクリップ舌片とを有することを特徴としている。
この態様では、表面帯部を台紙へ接着する他、表面帯部自体を表示部とすることが可能である。表面帯部をクリップ帯部より大型（大面積）とすることもできる。
【発明の効果】
【００１３】
本発明の挟着クリップ付き台紙は、挟着クリップ紙葉体のクリップ舌片がクリップ帯部の一側部（上縁部）に対して山折りされ、クリップ帯部と接着帯部の間を通って台紙裏面に当接するから、鋭角に折り曲げられたクリップ舌片の復元力を利用したクリップ力が得られる。よって、金属材料や合成樹脂材料を必要とせずに挟着クリップ付き台紙を得ることができる。また、台紙と挟着クリップ紙葉体の全体を紙製とすれば、廃棄時に台紙部分とクリップ部分を分ける必要がなく、廃棄コストが安い。また、挟着クリップ紙葉体の態様では、台紙を用いることなく、単体でこぼれ止めや名札としての使用も可能である。
【図面の簡単な説明】
【００１４】
【図１】本発明による挟着クリップ付き台紙の一実施形態を示す斜視図である。
【図２】図１のII-II線に沿う断面図である。
【図３】本発明による挟着クリップ付き台紙の挟着クリップ紙葉体の一実施形態の平面図（展開図）である。
【図４】図３の挟着クリップ紙葉体の最初の折曲状態を示す斜視図である。
【図５】次の折曲状態を示す斜視図である。
【図６】次の折曲状態を示す斜視図である。
【図７】次の折曲状態を示す斜視図である。
【図８】最後の折曲状態を示す斜視図である。
【図９】図８のIX-IX線に沿う断面図である。
【発明を実施するための形態】
【００１５】
本実施形態の紙製挟着クリップ付き台紙１００は、図１、図２に示すように、台紙１０と、この台紙１０に接着される挟着クリップ紙葉体２０からなっている。台紙１０は、単純な板材として示しているが、商品表示デバイス、名札ホルダ等の用途に応じて、その表面を適宜な形状構造とすることができる。材質は紙の他、プラスチック薄板でもよい。
【００１６】
この実施形態の挟着クリップ紙葉体２０は、一連の紙材（紙葉体）からなるもので、図３に示すように、接着帯部２１、この接着帯部２１の長さ方向の両端部に連設した一対の間隔保持帯部２２Ａ、２２Ｂ及びこの一対の間隔保持帯部２２Ａ、２２Ｂの両端部に連設した一対のクリップ帯部２３Ａ、２３Ｂを有している。クリップ帯部２３Ａの端部には、間隔保持帯部２２Ｂに重ね合わせて接着される接着間隔保持帯部２４が形成されている。接着帯部２１と間隔保持帯部２２Ａ、２２Ｂの間、間隔保持帯部２２Ａ、２２Ｂとクリップ帯部２３Ａ、２３Ｂの間、及びクリップ帯部２３Ａと接着間隔保持帯部２４の間にはそれぞれ、帯部の長さ方向と直交する折曲線（筋押し溝またはミシン目）２５が形成されている。
【００１７】
クリップ帯部２３Ａと２３Ｂの一側部（長手方向と直交する側部）には、同一方向に向けて大クリップ舌片２６Ａと小クリップ舌片２６Ｂが連設されている。このクリップ帯部２３Ａと大クリップ舌片２６Ａの間、及びクリップ帯部２３Ｂと小クリップ舌片２６Ｂの間には、折曲線２７Ａ、２７Ｂが形成されている。この折曲線２７Ａ、２７Ｂは、クリップ帯部２３Ａに対して大クリップ舌片２６Ａを鋭角状に折り曲げ、クリップ帯部２３Ｂに対して小クリップ舌片２６Ｂを鋭角状に折り曲げたとき、同大小のクリップ舌片２６Ａと２６Ｂに、クリップ帯部２３Ａと２３Ｂと同一の平面に復元しようとする（鋭角を鈍角にしようとする）大きい復元力が生じるような溝またはガイドとすることが好ましい。大クリップ舌片２６Ａの自由端部には、折曲線２８Ａを介して指掛部２８が折曲形成されている。挟着クリップ紙葉体２０は、接着帯部２１、間隔保持帯部２２Ｂ及びクリップ帯部２３Ｂの一部の下面に、図３の薄墨を付した位置に、接着剤が塗布されている（剥離紙を有する両面接着テープが付されている）。
【００１８】
以上の挟着クリップ紙葉体２０は、図４ないし図８に示す折曲工程を経て折り曲げられ接着される。まず、図４に示すように、一対の大クリップ舌片２６Ａと小クリップ舌片２６Ｂを、折曲線２７Ａと折曲線２７Ｂに沿い、クリップ帯部２３Ａとクリップ帯部２３Ｂに対して矢印Ｘで示すように同一の方向に折り曲げる。すると、折り曲げられた大クリップ舌片２６Ａと小クリップ舌片２６Ｂには、黒矢印Ａと白抜き矢印Ｂで示す、クリップ帯部２３Ａとクリップ帯部２３Ｂと同一平面に戻ろうとする（鋭角を鈍角にしようとする）方向の復元力（平面に復帰しようとする力）が与えられることになる。
【００１９】
次に、図５に示すように、間隔保持帯部２２Ａの両側の折曲線２５を山折りし、矢印Ｙで示す方向に、接着帯部２１、間隔保持帯部２２Ｂ及びクリップ帯部２３Ｂ（小クリップ片２６Ｂ）を平面状態のまま、クリップ帯部２３Ａと大クリップ舌片２６Ａの下方に折り曲げる。このとき、大クリップ舌片２６Ａはクリップ帯部２３Ａを基準として図の下方に復元力Ａが作用しているのに対し、小クリップ舌片２６Ｂはクリップ帯部２３Ｂを基準として図の上方に復元力Ｂが作用している。
【００２０】
次に、図６に示すように、間隔保持帯部２２Ｂの両端の折曲線２５を谷折りしながら、小クリップ舌片２６Ｂとクリップ帯部２３Ｂを大クリップ舌片２６Ａとクリップ帯部２３Ａの間に入れる。この状態において、クリップ帯部２３Ｂと間隔保持帯部２２Ｂの裏面の剥離紙を剥がして、クリップ帯部２３Ｂをクリップ帯部２３Ａに接着し、さらに図８に示すように、接着間隔保持帯部２４を間隔保持帯部２２Ｂに接着する。この接着が完了すると、図８、図９に明らかなように、接着帯部２１、間隔保持帯部２２Ａ、２２Ｂ（２４）及びクリップ帯部２３Ａ（２３Ｂ）により矩形の枠体が形成されている。クリップ帯部２３Ａとクリップ帯部２３Ｂの上下（内外）関係及び間隔保持帯部２２Ｂと接着間隔保持帯部２４の上下（内外）関係は、図１にも表れている。
【００２１】
この図８、図９の挟着クリップ紙葉体２０の完成状態では、大クリップ舌片２６Ａと小クリップ舌片２６Ｂは、クリップ帯部２３Ａとクリップ帯部２３Ｂの一側部（上縁部）で山折りされて、接着帯部２１、間隔保持帯部２２Ａ、２２Ｂ（２４）及びクリップ帯部２３Ａ（２３Ｂ）の矩形の枠体内に延びており、復元力ＡとＢにより、接着帯部２１方向に付勢されている。そして、その移動端は大クリップ舌片２６Ａが接着帯部２１に当接する位置で規制されている。
【００２２】
この挟着クリップ紙葉体２０を、接着帯部２１の裏面の剥離紙を剥がし、台紙１０の裏面に接着すると、図１、図２に示す挟着クリップ付き台紙１００が完成する。このとき、大クリップ舌片２６Ａと小クリップ舌片２６Ｂは、図８、図９の完成状態の挟着クリップ紙葉体２０単体の自由状態と比較すると、台紙１０によって復元力ＡとＢに抗する方向に押されるから、台紙１０との間に、より強いクリップ力を発揮する。
【００２３】
以上の実施形態では、台紙１０を必須としたが、図８、図９に示した挟着クリップ紙葉体２０を最終製品とする態様も可能である。この態様では、接着帯部２１を台紙に接着しない表面帯部とし、その表面を表示部とする。この態様では、接着帯部２１を間隔保持帯部２２Ａ、２２Ｂ（２４）及びクリップ帯部２３Ａ（２３Ｂ）より大型（大面積）とすることが好ましい。勿論、後に表面帯部２１を台紙に接着して用いてもよい。
【００２４】
以上の実施形態では、挟着クリップ紙葉体２０を一枚の紙から構成し、折曲して最低限の接着（クリップ帯部２３Ａとクリップ帯部２３Ｂの接着、及び間隔保持帯部２２Ｂと接着間隔保持帯部２４の接着）をすることで、大小のクリップ舌片２６Ａ、２６Ｂを形成しているため、製造が容易という利点がある。しかし、重ねられる大小のクリップ舌片とクリップ帯部を別体として構成し、クリップ帯部で接着することも可能である。別体として構成すれば、３枚以上のクリップ舌片を重ねることもできる。逆に、１枚のクリップ舌片でも本発明は成立する。
【符号の説明】
【００２５】
１０  台紙
２０  挟着クリップ紙葉体
２１  接着帯部（表面帯部）
２２Ａ  ２２Ｂ  間隔保持帯部
２３Ａ  ２３Ｂ  クリップ帯部
２４  接着間隔保持帯部
２５  折曲線
２６Ａ  大クリップ舌片
２６Ｂ  小クリップ舌片
２７Ａ  ２７Ｂ  折曲線
２８  指掛部
１００  挟着クリップ付き台紙
【図１】
2012223340.tif 000003
【図２】
2012223340.tif 000004
【図３】
2012223340.tif 000005
【図４】
2012223340.tif 000006
【図５】
2012223340.tif 000007
【図６】
2012223340.tif 000008
【図７】
2012223340.tif 000009
【図８】
2012223340.tif 000010
【図９】
2012223340.tif 000011